(57)【要約】【課題】  異常な電圧が計測される場合、適切な対処を行って故障や事故が発生するのを未然に防止することが可能な電子式電力量計を提供する。【解決手段】  端子部２における一方の電圧線端子１Ｓおよび中性線端子２Ｓ間に現れる第１の電圧、または、他方の電圧線端子３Ｓおよび中性線端子２Ｓ間に現れる第２の電圧に、２本の電圧線Ｐ１，Ｐ３間の電圧が監視部である制御部５によって監視されると、制御部５によって第１および第２の開閉器６ａ，６ｂが開かれる。したがって、中性線端子２Ｓに２本の電圧線Ｐ１，Ｐ３のいずれかを接続してしまう、単相三線式配電線の端子部２への誤接続等により、電圧線端子１Ｓ，３Ｓおよび中性線端子２Ｓ間に誤って２本の電圧線Ｐ１，Ｐ３間の２００Ｖの電圧が印加されても、その電圧は第１および第２の開閉器６ａ，６ｂの開制御によって速やかに負荷１１ａ，１１ｂ，１１ｃに印加されなくなる。【選択図】  図１
2020051951.tif 000002
【特許請求の範囲】
【請求項１】
単相三線式配電線の２本の電圧線が接続される２つの電圧線端子および１本の中性線が接続される１つの中性線端子を有する端子部と、前記配電線から前記端子部を介して負荷へ供給される電力量を計量する計量部と、前記配電線および前記負荷間の接続を開閉して前記配電線から前記負荷への電力供給を断続する開閉器とを備える単相三線式電子式電力量計において、
一方の前記電圧線端子および前記中性線端子間の電圧を測定する第１の電圧測定部と、他方の前記電圧線端子および前記中性線端子間の電圧を測定する第２の電圧測定部と、前記第１の電圧測定部で測定される第１の電圧および前記第２の電圧測定部で測定される第２の電圧を監視する監視部と、前記第１の電圧または前記第２の電圧に２本の前記電圧線間の電圧が前記監視部によって監視されると前記開閉器を開く制御部とを備えることを特徴とする単相三線式電子式電力量計。
【請求項２】
表示部を備え、
前記制御部は、前記第１の電圧または前記第２の電圧に２本の前記電圧線間の電圧が前記監視部によって監視されると前記表示部を表示させる
ことを特徴とする請求項１に記載の単相三線式電子式電力量計。
【発明の詳細な説明】
【技術分野】
【０００１】
本発明は、単相三線式配電線が端子部に接続される単相三線式電子式電力量計に関するものである。
【背景技術】
【０００２】
従来、例えば、特許文献１に開示された電子式電力量計がある。この電子式電力量計は、電流計および開閉器を備え、契約電力を超える電流が電流計に計測された場合、開閉器を開いて需要家への電力供給を停止する。また、開閉器を開いた後に開放時間設定値を経過したときは、開閉器を自動投入する。また、自動投入した回数をカウントし、カウント値が回数制限値に到達したときは自動投入を停止して、開閉器を開放状態に維持する。
【先行技術文献】
【特許文献】
【０００３】
【特許文献１】特許第５４９４４６２号公報
【発明の概要】
【発明が解決しようとする課題】
【０００４】
上記従来の電子式電力量計は、契約電力を超える電流が電流計に計測された場合、開閉器を開いて需要家への電力供給を停止するが、異常な電圧が計測される場合には何ら対処をしない。
【０００５】
本発明は、電子式電力量計において異常な電圧が計測される場合、適切な対処を行って故障や事故が発生するのを未然に防止する電子式電力量計を提供することを目的とする。
【課題を解決するための手段】
【０００６】
このために本発明は、
単相三線式配電線の２本の電圧線が接続される２つの電圧線端子および１本の中性線が接続される１つの中性線端子を有する端子部と、配電線から端子部を介して負荷へ供給される電力量を計量する計量部と、配電線および負荷間の接続を開閉して配電線から負荷への電力供給を断続する開閉器とを備える単相三線式電子式電力量計において、
一方の電圧線端子および中性線端子間の電圧を測定する第１の電圧測定部と、他方の電圧線端子および中性線端子間の電圧を測定する第２の電圧測定部と、第１の電圧測定部で測定される第１の電圧および第２の電圧測定部で測定される第２の電圧を監視する監視部と、第１の電圧または第２の電圧に２本の電圧線間の電圧が監視部によって監視されると開閉器を開く制御部とを備えることを特徴とする。
【０００７】
本構成によれば、端子部における一方の電圧線端子および中性線端子間に現れる第１の電圧、または、他方の電圧線端子および中性線端子間に現れる第２の電圧に、２本の電圧線間の電圧が監視部によって監視されると、制御部によって開閉器が開かれる。したがって、単相三線式配電線の端子部への誤接続や、単相三線式配電線自体のトランスへの誤接続等により、端子部における電圧線端子および中性線端子間に誤って２本の電圧線間の電圧が印加されても、その電圧は開閉器の開制御によって負荷に印加されなくなる。このため、電子式電力量計において異常な電圧が計測される場合、電子式電力量計が適切な対処を行って故障や事故が発生するのを未然に防止することが可能になる。
【０００８】
また、本発明は、表示部を備え、制御部が、第１の電圧または第２の電圧に２本の電圧線間の電圧が監視部によって監視されると表示部を表示させることを特徴とする。
【０００９】
本構成によれば、電子式電力量計において異常な電圧が計測される場合、制御部によって表示部が表示させられることで、電子式電力量計の設置作業者等に異常な電圧の発生が認識される。このため、設置作業者等は、異常な電圧の発生を認識することで、単相三線式配電線の端子部への誤接続を速やかに正したり、単相三線式配電線自体のトランスへの誤接続を速やかに正したりする等の適切な対処を迅速に行うことが可能になる。
【発明の効果】
【００１０】
本発明によれば、異常な電圧が計測される場合、適切な対処を行って故障や事故が発生するのを未然に防止することが可能な電子式電力量計を提供することが出来る。
【図面の簡単な説明】
【００１１】
【図１】本発明の一実施の形態による単相三線式電子式電力量計の概略構成を示すブロック図である。
【発明を実施するための形態】
【００１２】
次に、本発明による単相三線式電子式電力量計を実施するための形態について説明する。
【００１３】
図１は、本発明の一実施の形態による単相三線式電子式電力量計１の概略構成を示すブロック図である。単相三線式電子式電力量計１は、端子部２、計量部３、表示部４および制御部５を備える。
【００１４】
端子部２は、単相三線式配電線の２本の電圧線Ｐ１，Ｐ３が接続される２つの電圧線端子１Ｓ，３Ｓ、および１本の中性線Ｐ２が接続される１つの中性線端子２Ｓを有する。電圧線端子１Ｓは、電力量計１の内部において、第１の開閉器６ａおよび第１の電流計７ａを介して負荷端子１Ｌに接続され、他方の電圧線端子３Ｓは、電力量計１の内部において、第２の開閉器６ｂおよび第２の電流計７ｂを介して負荷端子３Ｌに接続されている。また、中性線端子２Ｓは、電力量計１の内部において、短絡線９を介して負荷端子２Ｌに接続されている。また、電圧線端子１Ｓおよび中性線端子２Ｓ間には第１の電圧計８ａが接続され、電圧線端子３Ｓおよび中性線端子２Ｓ間には第２の電圧計８ｂが接続されている。第１の電圧計８ａは、一方の電圧線端子１Ｓおよび中性線端子２Ｓ間の電圧を測定する第１の電圧測定部、第２の電圧計８ｂは、他方の電圧線端子３Ｓおよび中性線端子２Ｓ間の電圧を測定する第２の電圧測定部を構成する。
【００１５】
２本の電圧線Ｐ１，Ｐ３および１本の中性線Ｐ２はトランス１０に接続されており、電力量計１の電圧線端子１Ｓおよび中性線端子２Ｓ間並びに電圧線端子３Ｓおよび中性線端子２Ｓ間にはトランス１０からそれぞれ単相１００Ｖが印加され、電圧線端子１Ｓおよび電圧線端子３Ｓ間には単相２００Ｖが印加される。また、需要家では、負荷端子１Ｌおよび負荷端子２Ｌ間並びに負荷端子３Ｌおよび負荷端子２Ｌ間にそれぞれ１００Ｖ負荷１１ａおよび１１ｂが接続され、負荷端子１Ｌおよび負荷端子３Ｌ間に２００Ｖ負荷１１ｃが接続される。
【００１６】
計量部３は、単相三線式配電線から端子部２を介して負荷１１ａ，１１ｂ，１１ｃへ供給される電力量を計量する。この計量には、第１，第２の電流計７ａ，７ｂで測定される各電流値、および第１，第２の電圧計８ａ，８ｂで測定される各電圧値が用いられる。表示部４は液晶表示装置から構成され、計量部３で計量された電力量を表示する。制御部５は、第１の開閉器６ａおよび第２の開閉器６ｂを制御し、単相三線式配電線および負荷１１ａ，１１ｂ，１１ｃ間の接続を開閉して、単相三線式配電線から負荷１１ａ，１１ｂ，１１ｃへの電力供給を断続する。つまり、契約電力を超える電流が第１，第２の電流計７ａ，７ｂに計測された場合、第１の開閉器６ａおよび第２の開閉器６ｂを開いて需要家への電力供給を停止する。
【００１７】
本実施形態では、制御部５は、第１の電圧計８ａで測定される第１の電圧および第２の電圧計８ｂで測定される第２の電圧を監視する監視部を構成し、第１の電圧または第２の電圧に２本の電圧線Ｐ１，Ｐ３間の２００Ｖの電圧が監視されると、第１の開閉器６ａおよび第２の開閉器６ｂを開く制御をする。また、制御部５は、第１の電圧または第２の電圧に２本の電圧線Ｐ１，Ｐ３間の２００Ｖの電圧が監視されると、表示部４に接続異常をメッセージ等で表示させる。
【００１８】
このような本実施形態による単相三線式電子式電力量計１によれば、端子部２における一方の電圧線端子１Ｓおよび中性線端子２Ｓ間に現れる第１の電圧、または、他方の電圧線端子３Ｓおよび中性線端子２Ｓ間に現れる第２の電圧に、２本の電圧線Ｐ１，Ｐ３間の２００Ｖの電圧が監視部である制御部５によって監視されると、制御部５によって第１の開閉器６ａおよび第２の開閉器６ｂが開かれる。したがって、中性線端子２Ｓに２本の電圧線Ｐ１，Ｐ３のいずれかを接続してしまう、単相三線式配電線の端子部２への誤接続や、単相三線式配電線自体のトランス１０への誤接続等により、端子部２における電圧線端子１Ｓ，３Ｓおよび中性線端子２Ｓ間に誤って２本の電圧線Ｐ１，Ｐ３間の２００Ｖの電圧が印加されても、その電圧は第１の開閉器６ａおよび第２の開閉器６ｂの開制御によって速やかに負荷１１ａ，１１ｂに印加されなくなる。このため、電子式電力量計１において異常な電圧が計測される場合、電子式電力量計１が適切な対処を行って故障や事故が発生するのを未然に防止することが可能になる。
【００１９】
また、本実施形態による単相三線式電子式電力量計１によれば、電子式電力量計１において端子部２に異常な電圧が計測される場合、制御部５によって表示部４に接続異常が表示させられることで、電子式電力量計１の設置作業者等に異常な電圧の発生が認識される。このため、設置作業者等は、この異常な電圧の発生を認識することで、単相三線式配電線の端子部２への誤接続を速やかに正したり、単相三線式配電線自体のトランス１０への誤接続を速やかに正したりする等の適切な対処を迅速に行うことが可能になる。
【００２０】
なお、上記の実施形態では、電圧線端子１Ｓまたは３Ｓと中性線端子２Ｓとの間に現れる第１の電圧または第２の電圧に２本の電圧線Ｐ１，Ｐ３間の電圧が監視されると、制御部５によって第１の開閉器６ａおよび第２の開閉器６ｂの双方が開かれる場合について、説明した。しかし、第１の開閉器６ａおよび第２の開閉器６ｂの双方ではなく、２本の電圧線Ｐ１，Ｐ３間の電圧が監視される一方の電圧線端子１Ｓまたは３Ｓと中性線端子２Ｓとの間だけを開くように構成してもよい。
【００２１】
また、上記の実施形態では、電力量を表示する表示部４に接続異常がメッセージ等で表示させられる場合について説明したが、表示部４とは別にランプ等を設け、接続異常が検出された場合にそのランプ等を単に光らせるように構成してもよい。
【符号の説明】
【００２２】
１…単相三線式電子式電力量計
２…端子部
３…計量部
４…表示部
５…制御部
６ａ，６ｂ…開閉器
７ａ，７ｂ…電流計
８ａ，８ｂ…電圧計
９…短絡線
１０…トランス
１１ａ，１１ｂ，１１ｃ…負荷
１Ｓ，３Ｓ…電圧線端子
２Ｓ…中性線端子
Ｐ１，Ｐ３…電圧線
Ｐ２…中性線
【図１】
2020051951.tif 000003